(57)【要約】【課題】複数の二次電池パックにおいて、充電完了品と使用済み品の識別を容易に可能とさせるものである。【解決手段】満充電状態の二次電池パックを保管する場合は、短絡防止キャップを取付けて、＋端子と−端子のショート事故を防止するとともにつまみを絵文字Ｆ側に移動させ満充電色緑の露出と絵文字Ｆにより二次電池パックが満充電であることを一目で認識できるようにし、使用済み状態の二次電池パックを保管する場合は、短絡防止キャップを二次電池パックに取付けて、つまみを絵文字Ｅ側に移動させることにより満充電色緑が隠れるのと絵文字Ｅにより使用済みの二次電池パックであることを認識できるようにする。【選択図】        図１
2006073403.tif 000002
【特許請求の範囲】
【請求項１】
二次電池パックと二次電池パックを保護する着脱可能な保護キャップにおいて、保護キャップの一部の形状を変化させることにより二次電池パックの充電状態を表示させることを特徴とする二次電池パック。
【請求項２】
請求項１の二次電池パックにおいて保護キャップの充電状態表示を行なう形状変化部をスライドつまみとすることを特徴とする二次電池パック。
【請求項３】
請求項２の二次電池パックにおいて保護キャップのスライドつまみ摺動部に色を付けることによりスライドつまみの位置により指定した色を見えるようにしたことを特徴とする二次電池パック。
【請求項４】
請求項２の二次電池パックにおいて保護キャップの位置に応じ充電状態を表す文字、絵文字または記号を記載することを特徴とする二次電池パック。
【請求項５】
請求項１の二次電池パックにおいて保護キャップの充電状態表示を行なう形状変化部を回転つまみとすることを特徴とする二次電池パック。
【請求項６】
請求項５の二次電池パックにおいて保護キャップのスライドつまみ摺動部に色を付けることによりスライドつまみの位置により指定した色を見えるようにしたことを特徴とする二次電池パック。
【請求項７】
請求項５の二次電池パックにおいて保護キャップの位置に応じ充電状態を表す文字、絵文字または記号を記載することを特徴とする二次電池パック。
【発明の詳細な説明】
【技術分野】
【０００１】
本発明は、二次電池パックの状態表示に関するものである。
【背景技術】
【０００２】
従来技術をその構造図を基に説明する。図１２はつまみタイプの従来技術を表す図で、１は二次電池パック、１−２は＋端子、１−３は−端子、１−４は充電状態を表示するつまみ、１−５はつまみ４上に塗られている満充電表示色緑、２は短絡防止キャップである。つまみ１−４は二次電池パック１の底部に摺動可能状態で取付けられ、二次電池パック１を使わない時は＋端子１−２と−端子１−３の露出を防ぐことによりネックレスなどによる短絡を防止する短絡防止キャップ２を付けて保管する。
【０００３】
図１３はつまみ１−４の表示を表す図で、位置図Ｋは満充電を表すものでつまみ１−４は露出し、つまみ１−４上の満充電色緑１−５が認識できる。位置図Ｌは電池が使用済みであることを表すものでつまみ１−４は二次電池パック１内に入り込み満充電色緑１−５が見えなくなる。
【０００４】
二次電池パック１が満充電の時はつまみ１−４を内部より引き出し満充電色緑１−５が露出するようにし、使用済の時はつまみ１−４を内部に収納し満充電色緑１−５を隠れてみえないようにした後、短絡防止キャップを付けて保管する（例えば、特許文献１参照）。
【０００５】
図１４は電気回路による従来技術を表す図で、１は二次電池パック、１−６は表示を行なわせる表示ボタン、１−７は表示ＬＥＤ（１）、１−８は表示ＬＥＤ（２）、１−９は表示ＬＥＤ（３）、１−１０は表示ＬＥＤ（４）である。表示ボタン１−６が押されると二次電池パック１内の電気回路にて充電状態を識別し充電状態に合わせた表示を表示ＬＥＤ（１）１−７、表示ＬＥＤ（２）１−８、表示ＬＥＤ（３）１−９、表示ＬＥＤ（４）１−１０、の点燈にて表す。満充電の時は表示ＬＥＤ（１）１−７、表示ＬＥＤ（２）１−８、表示ＬＥＤ（３）１−９、表示ＬＥＤ（４）１−１０全てを点灯させ、充電量が減るに従い表示ＬＥＤ（４）１−１０側から消灯させていき、使用できない状態になった時は表示ＬＥＤ（１）１−７のみ点燈させることにより充電状態を表す。
【特許文献１】特許第３４１６９６２号公報
【特許文献２】特開平１０−１５５１００号公報
【発明の開示】
【発明が解決しようとする課題】
【０００６】
上記従来例のスライドつまみによる表示の場合は、二次電池パックの構造が複雑になるとともに機構スペースを必要とする。二次電池パックは小型化が求められており無駄のない効率良いレイアウトをとるため充電状態を表示する機構を盛り込むことは難しい状態である。また、高容量化されてきている二次電池パックにおいて電源端子の短絡による事故の危険性は増大しており短絡防止のための保護キャップの重要性は高まっている。保管時は必ず保護キャップを付けた状態となるが、充電状態を示す表示部が隠れてしまい識別するためにいちいち保護キャップを外さなければならなくめんどうである。このため、保護キャップを付けなくなることもあり安全姓に対し逆効果をもたらすことがある。
【０００７】
電気回路のよる表示の場合は、二次電池パック内部に充電状態を判別する電気回路及び表示用のＬＥＤなどが必要でありコストの増加と、電気回路を搭載するスペース確保のために外形の増加が避けられない。
【０００８】
本出願の発明の目的は、保管常態にある二次電池パックの充電状態を示す方法として外観寸法に影響を及ぼすことなく簡便な構造とすることで安価にて実現できるようにするものである。
【課題を解決するための手段】
【０００９】
上記目的を達成するために、二次電池パックの保管時、出力端子が短絡することを防止するために装着する保護キャップに充電状態表示機能を持たせることで二次電池パック自体に影響を及ぼすことなく表示を行なうことができるようにするもので、充電状態の表示は、保護キャップの形状を変化させることにより行ない、スライドタイプのつまみ、回転タイプのつまみで示す。つまみ位置に合わせた色表示を変化、絵文字または文字によるつまみ位置の表示によりつまみが示す充電状態をより認識しやすくすることを特徴とするものである。
【００１０】
二次電池パックへの保護キャップ装着は、安全上では重要な意味があるが使用上は煩雑なだけな操作であったが、充電表示機能を持たせることで、装着による実用上の利便性が生まれ装着に対する意識をより高める効果をもたらす。
【００１１】
以下に、本発明の第一の発明について整理して示す。
【００１２】
（１）二次電池パックと二次電池パックを保護する着脱可能な保護キャップにおいて、保護キャップの一部の形状を変化させることにより二次電池パックの充電状態を表示させることを特徴とする二次電池パック。
【発明の効果】
【００１３】
本発明によれば、二次電池パックの保管時、出力端子が短絡することを防止するために装着する保護キャップに充電状態表示機能を持たせることで二次電池パック自体に影響を及ぼすことなく表示を行なうことができるようにするもので、充電状態の表示は、保護キャップの形状を変化させることにより行なうものである。
【００１４】
保護キャップによる表示のため二次電池パックに新たな機構を追加することがないため構造を複雑にし外形を大きくすることなく充電状態の表示を可能とすることができる。また、二次電池パック自体での表示でないため保護キャップを付けることにより表示部が隠れることがなく付けたままでも充電状態の確認ができ視認性の向上をもたらす。
【００１５】
また、表示部分を、スライドつまみ及び回転つまみにすることで簡単な操作で充電状態の表示を行なうことができる。
【００１６】
さらに、スライドつまみ及び回転つまみの位置の切替えに応じた色表示の変化、つまみ位置を表す絵文字又は文字の記載をすることで視認性を向上させ判別しやすくする効果をもたらす。
【発明を実施するための最良の形態】
【００１７】
以下本発明を実施するための最良の形態を、実施例により詳しく説明する。
【実施例１】
【００１８】
図１は本発明の全体的な構成を表す図で、同図において１は二次電池パック、１−１は取付けレール、１−２は＋端子、１−３は−端子、２は短絡防止キャップ、２−１は固定突起、３は二次電池パック１の充電状態により移動させるつまみである。二次電池パック１を使わない時は＋端子１−２と−端子１−３の露出を防ぎがネックレスなどによるショートを防止するために短絡防止キャップ２を付けて保管するとともにつまみ３の位置を変えることにより二次電池パック１の充電状態をわかるようにさせる。
【００１９】
図２は短絡防止キャップ２の二次電池パック１への取付けを表す図で、取付けレール１−１に固定突起２−１がはまり込むことにより短絡防止キャップ２の不用意な脱落を防ぐ。
【００２０】
図３はつまみ３周りの詳細図で、２−３はつまみ３が摺動する摺動面、２−４は二次電池パック１の満充電を表す緑色の塗装である満充電色緑、２−５は満充電を表す絵文字Ｆ、２−６は電池が使用済みであることを表す絵文字Ｅ、３−１はつまみ３の操作を容易にするための指ががり突起である。つまみ３は摺動面２−３部を移動することができ、絵文字Ｅ側にきた時は満充電色緑２−４が完全に隠れ、つまみ３の移動により充電状態を示すことができる。
【００２１】
図４は図３のＡ−Ａ面における断面図で、３−２はつまみ３が摺動面２−３と接触する摺動突起、３−３はつまみ３の脱落を防止する固定爪である。つまみ３は摺動面２−３を囲うような形状で、固定爪により脱落を防止し、摺動突起３−２により摺動面２−３との接触部が満充電色緑２−４を避け対置に固定されることでつまみ３の移動により満充色緑２−４を傷つけることを防止することができる。
【００２２】
図５は図３においてＢ方向からの図で、２−７は固定溝Ｆ、２−８は固定溝Ｅ、３−４は固定溝Ｆ２−７または固定溝Ｅ２−８と勘合する固定突起、３−５は固定突起３−４が固定溝Ｆ２−７または固定溝Ｅ２−８から外れることができるようにする板ばねである。つまみ３が絵文字Ｆ２−５側にある時は、固定突起３−４は固定溝Ｆ２−７と勘合し、絵文字Ｅ側にある時は、固定溝Ｅ２−８と勘合する。固定突起３−４は板ばね３−５により固定溝Ｆ２−７、固定溝Ｅ２−８から抜け出す方向にたわむことで移動を可能とするとともに指定位置でのクリック感を生み出すことで不用意な移動の防止と操作感を持たせることができる。
【００２３】
図６はつまみ３と表示を表す図である。位置図Ｃは満充電を表すものでつまみ３は絵文字Ｆ２−５側にあり満充電色緑２−４が露出する。位置図Ｄは電池が使用済みであることを表すものでつまみ３は絵文字Ｅ２−６側にあり満充電色緑２−４はつまみ３に隠れてみえない。
【００２４】
満充電状態の二次電池パック１を保管する場合は、短絡防止キャップ２を取付けて、＋端子１−２と−端子１−３のショート事故を防止するとともにつまみ３を絵文字Ｆ２−５側に移動させ満充電色緑２−４の露出と絵文字Ｆ２−５により二次電池パック１が満充電であることを一目で認識できるようにする。
【００２５】
使用済み状態の二次電池パック１を保管する場合は、短絡防止キャップ２を二次電池パック２に取付けて、つまみ３を絵文字Ｅ２−６側に移動させることにより満充電色緑２−４が隠れるのと絵文字Ｅ２−６により使用済みの二次電池パックであることを認識できるようにする。
【実施例２】
【００２６】
図７は本発明の全体的な構成を表す図で、同図において１は二次電池パック、１−１は取付けレール、１−２は＋端子、１−３は−端子、２は短絡防止キャップ、２−１は固定突起、３は二次電池パック１の充電状態により移動させるつまみである。二次電池パック１を使わない時は＋端子１−２と−端子１−３の露出を防ぎがネックレスなどによるショートを防止するために短絡防止キャップ２を付けて保管する。
【００２７】
図２は短絡防止キャップ２の二次電池パック１への取付けを表す是で、取付けレール１−１に固定突起２−１がはまり込むことにより短絡防止キャップ２の不用意な脱落を防ぐ。
【００２８】
図８は図７のＧ方向から見た斜面図で、２−４は二次電池パック１の満充電を表す緑色の塗装である満充電色緑、２−５は満充電を表す絵文字Ｆ、２−６は電池が使用済みであることを表す絵文字Ｅ、２−９は回転つまみ４を取付ける取付け部、４は二次電池パック１の充電状態により移動させる回転つまみ、４−１は回転つまみ４の位置を表す指標、４−２は満充電色緑２−４を表示させる表示窓である。回転つまみ４は取付け部２−９に回転可能状態で挿入され表示窓４−２より満充電色緑２−４を表示できるようになっている。
【００２９】
図９は短絡防止キャップ２の分解図で、２−１０は回転つまみ４と接触する摺動面、２−１１は回転つまみ４を回転させるための軸穴、２−１２は回転つまみ４の位置を決める固定穴Ｆ、２−１３は回転つまみ４の位置を決める固定穴Ｅ、４−３は軸穴４−３と勘合し回転つまみ４の回転中心となる軸、４−４は回転つまみ４の脱落を防止するストッパーである。軸４−３を軸穴２−１１に挿入し回転つまみ４を回転可能状態で結合させる。
【００３０】
図１０は図８のＨ−Ｈ面における断面図で、４−５は摺動面２−１０と接触するよう全周に設けられた摺動リブ、４−６は固定穴Ｆ２−１２及び固定穴Ｅ２−１３と勘合し回転つまみ４の位置を固定する固定突起である。軸穴２−１１に回転可能状態で勘合している軸４−３の先端にあるストッパー４−４は軸穴２−１１の穴径より大きくすることで回転つまみ４の脱落を防止している。摺動リブ４−５は満充電色緑２−４をさける位置に設けられており回転つまみ４の回転時回転つまみ４と満充電色緑２−４の接触による色はがれを防止している。固定突起４−６は指標４−１が絵文字Ｆ２−５方向にある時固定穴Ｆ２−１２と、絵文字Ｅ２−１３側にある時固定穴Ｅ２−１３と勘合し不用意に回転位置が変わるのを防止するとともに適度な操作感を生み出す。
【００３１】
図１１は回転つまみ４と表示を表す図で、位置図Ｉは満充電を表すもので回転つまみ４の指標４−１は絵文字Ｆ２−５をさし、満充電色緑２−４は表示窓４−２より露出する。位置図Ｊは電池が使用済みであることを表すもので回転つまみ４の指標４−１は絵文字Ｅ２−６をさし、満充電色緑２−４は表示窓４−２より見えなくなる。
【００３２】
満充電状態の二次電池パック１を保管する場合は、短絡防止キャップ２を取付けて、＋端子１−２と−端子１−３のショート事故を防止するとともにつまみ４の指標４−１を絵文字Ｆ２−５側に回転させ満充電色緑２−４の表示窓４−２からの露出と指標４−１が絵文字Ｆ２−５をさすことにより二次電池パック１が満充電であることを一目で認識できるようにする。
【００３３】
使用済み状態の二次電池パック１を保管する場合は、短絡防止キャップ２を取付けつけて、回転つまみ４を絵文字Ｅ２−６側に回転させることにより満充電色緑２−４が表示窓４−２から隠れるのと指標４−２が絵文字Ｅ２−６をさすことにより使用済みの二次電池パックであることを認識できるようにする。
【図面の簡単な説明】
【００３４】
【図１】実施例１の構成図
【図２】実施例の短絡防止キャップ取付け機構断面図
【図３】実施例１の機構詳細図
【図４】実施例１の断面図
【図５】実施例１のクリック構造図
【図６】実施例１の表示図
【図７】実施例２の構成図
【図８】実施例２の機構詳細を示す斜面図
【図９】実施例２の分解状態図
【図１０】実施例２の断面図
【図１１】実施例２表示図
【図１２】従来例図
【図１３】従来例の表示図
【図１４】従来例図
【符号の説明】
【００３５】
１      二次電池パック
１−１  取付けレール
１−２  ＋端子
１−３  −端子
１−４  つまみ
１−５  満充電表示色緑
１−６  表示ボタン
１−７  表示ＬＥＤ（１）
１−８  表示ＬＥＤ（２）
１−９  表示ＬＥＤ（３）
１−１０  表示ＬＥＤ（４）
２      短絡防止キャップ
２−１  固定突起
２−３  摺動面
２−４  満充電色緑
２−５  絵文字Ｆ
２−６  絵文字Ｅ
２−７  固定溝Ｆ
２−８  固定溝Ｅ
２−９  取付け部
２−１０  摺動面
２−１１  軸穴
２−１２  固定穴Ｆ
２−１３  固定穴Ｅ
３      つまみ
３−１  指ががり突起
３−２  摺動突起
３−３  固定爪
３−４  固定突起
３−５  板ばね
４      回転つまみ
４−１  指標
４−２  表示窓
４−３  軸
４−４  ストッパー
４−５  摺動リブ
４−６  固定突起
【図１】
2006073403.tif 000003
【図２】
2006073403.tif 000004
【図３】
2006073403.tif 000005
【図４】
2006073403.tif 000006
【図５】
2006073403.tif 000007
【図６】
2006073403.tif 000008
【図７】
2006073403.tif 000009
【図８】
2006073403.tif 000010
【図９】
2006073403.tif 000011
【図１０】
2006073403.tif 000012
【図１１】
2006073403.tif 000013
【図１２】
2006073403.tif 000014
【図１３】
2006073403.tif 000015
【図１４】
2006073403.tif 000016